(57)【要約】      （修正有）【課題】フィールド機器を用いて行われるテストの信頼性を担保することができる試験情報管理装置、試験情報管理方法、試験情報管理プログラム、及び記録媒体を提供する。【解決手段】試験情報管理装置１は、第１機器１１ａから出力される試験信号を第２機器１３、１４、１１ｂで受信することによって行われる試験に関する試験情報を管理するものであって、第１機器における試験信号の出力状況を示す情報を含む第１情報ＩＦ１と、第２機器における試験信号の受信結果を示す画像情報を含む第２情報ＩＦ２、ＩＦ３とを、第１機器又は第２機器を識別する識別情報と、第１情報及び第２情報が生成された時刻との少なくとも一方を用いて紐付ける紐付部を備える。【選択図】図１
2019215792.tif 000002
【特許請求の範囲】
【請求項１】
第１機器から出力される試験信号を第２機器で受信することによって行われる試験に関する試験情報を管理する試験情報管理装置であって、
前記第１機器における前記試験信号の出力状況を示す情報を含む第１情報と、前記第２機器における前記試験信号の受信結果を示す画像情報を含む第２情報とを、前記第１機器又は前記第２機器を識別する識別情報と、前記第１情報及び前記第２情報が生成された時刻との少なくとも一方を用いて紐付ける紐付部を備える試験情報管理装置。
【請求項２】
前記第２情報に含まれる前記画像情報に対して画像解析を行い、前記試験信号の受信結果と、前記第１機器又は前記第２機器を識別する識別情報との少なくとも一方を得る解析部を備える請求項１記載の試験情報管理装置。
【請求項３】
前記紐付部は、前記解析部で得られた前記試験信号の受信結果を前記第１情報に紐付ける、請求項２記載の試験情報管理装置。
【請求項４】
前記紐付部は、前記解析部で得られた前記識別情報を用いて前記第１情報と前記第２情報とを紐付ける、請求項２記載の試験情報管理装置。
【請求項５】
前記第１情報には、少なくとも前記第１機器を識別する前記識別情報と、前記試験信号のレベル及び該レベルの出力開始時刻を示す情報と、が含まれる請求項１から請求項４の何れか一項に記載の試験情報管理装置。
【請求項６】
前記紐付部で紐付けられた前記第１情報と前記第２情報とを出力する出力部を備える請求項１から請求項５の何れか一項に記載の試験情報管理装置。
【請求項７】
前記第１機器との間で通信を行う通信部と、
前記通信部を介して前記試験信号の出力命令を前記第１機器に送信し、前記第１機器から前記試験信号を出力させる試験実行部と、
を備える請求項１から請求項６の何れか一項に記載の試験情報管理装置。
【請求項８】
前記通信部によって、前記第１機器から前記識別情報が取得される、請求項７記載の試験情報管理装置。
【請求項９】
前記第１機器は、フィールド機器であり、
前記第２機器は、前記フィールド機器から出力された前記試験信号の受信結果を表示する表示部を備える機器である、
請求項１から請求項８の何れか一項に記載の試験情報管理装置。
【請求項１０】
前記第１機器は、フィールド機器を操作するための操作信号を前記試験信号として出力可能な機器であり、
前記第２機器は、前記第１機器から出力される前記試験信号に基づいて動作した結果を表示する表示部を備えるフィールド機器である、
請求項１から請求項６の何れか一項に記載の試験情報管理装置。
【請求項１１】
第１機器から出力される試験信号を第２機器で受信することによって行われる試験に関する試験情報を管理する試験情報管理方法であって、
前記第１機器における前記試験信号の出力状況を示す情報を含む第１情報と、前記第２機器における前記試験信号の受信結果を示す画像情報を含む第２情報とを、前記第１機器又は前記第２機器を識別する識別情報と、前記第１情報及び前記第２情報が生成された時刻との少なくとも一方を用いて紐付ける紐付ステップを有する試験情報管理方法。
【請求項１２】
コンピュータを、第１機器から出力される試験信号を第２機器で受信することによって行われる試験に関する試験情報を管理する試験情報管理装置として機能させる試験情報管理プログラムであって、
前記コンピュータを、
前記第１機器における前記試験信号の出力状況を示す情報を含む第１情報と、前記第２機器における前記試験信号の受信結果を示す画像情報を含む第２情報とを、前記第１機器又は前記第２機器を識別する識別情報と、前記第１情報及び前記第２情報が生成された時刻との少なくとも一方を用いて紐付ける紐付手段として機能させる試験情報管理プログラム。
【請求項１３】
請求項１２記載の試験情報管理プログラムを記録したコンピュータ読み取り可能な記録媒体。
【発明の詳細な説明】
【技術分野】
【０００１】
本発明は、試験情報管理装置、試験情報管理方法、試験情報管理プログラム、及び記録媒体に関する。
【背景技術】
【０００２】
従来から、プラントや工場等（以下、これらを総称する場合には「プラント」という）においては、分散制御システム（ＤＣＳ：Distributed Control System）が構築されており、高度な自動操業が実現されている。この分散制御システムは、フィールド機器と呼ばれる現場機器（測定器、操作器）を制御するコントローラが、幾つかの制御ループ毎に分散配置される制御システムである。このような分散制御システムが構築されたプラントにおいては、異常な動作の予防、測定精度の維持等の観点から、作業員によるフィールド機器の保全が定期又は不定期に行われる。
【０００３】
フィールド機器の保全は、フィールド機器との間で有線通信又は無線通信が可能な機器保全装置を用いて行われることが多い。この機器保全装置は、例えばフィールド機器の保全を行うための専用のプログラムがインストールされたノート型又はタブレット型のコンピュータ、ＰＤＡ（Personal Digital Assistant）、ＨＨＴ（HandHeld Terminal）、スマートフォン等である。このような機器保全装置を用いて、例えば、保全対象のフィールド機器に設定等されている機器情報を読み出して確認する確認作業、新たな機器情報を保全対象のフィールド機器に設定する設定作業等、保全対象のフィールド機器に応じた様々な保全作業が行われる。
【０００４】
また、フィールド機器の保全の際には、保全対象のフィールド機器を使用する様々なテスト（試験）も行われる。このようなテストの一種に、予め作成したテストパターンに従って、フィールド機器から模擬信号を発生させるテストがある。このテストの代表的なものとして、ループテスト（ループ試験）が挙げられる。ここで、ループテストとは、プラント等の制御系統において、フィールド機器から所定の出力レベルの模擬信号（テスト出力レベル）をＤＣＳ等の上位装置等に出力させ、フィールド機器の動作や、フィールド機器と上位装置等とが正しく結線されているかを確認するテストである。以下の特許文献１には、このようなループテストを行うことが可能な機器保全装置が開示されている。
【０００５】
上記の保全対象のフィールド機器を使用するテストは、複数人によって行われる場合がある。例えば、上述のループテストに代表されるフィールド機器から模擬信号を発生させるテストは、保全作業を行う現場の作業員と、プラントの監視を行う運転員との協働によって行われることが多い。具体的には、現場の作業員がフィールド機器に対して模擬信号の発生指示を行い、プラントの運転員が上位装置等で受信される模擬信号の確認を行うといった具合である。
【０００６】
従来、保全対象のフィールド機器を使用するテストに関する情報（テスト結果を含む）は、作業内容毎に個別に管理されていた。例えば、上述のループテストに代表されるテストでは、現場の作業員の作業内容は上述の機器保全装置に記録されて管理され、プラントの運転員の作業内容（確認結果）は、例えば紙等に記録されて管理されていた。
【先行技術文献】
【特許文献】
【０００７】
【特許文献１】特開２０１７−１９１３８６号公報
【発明の概要】
【発明が解決しようとする課題】
【０００８】
ところで、上述の通り、従来は、テスト結果を含むテストに関する情報の一元管理がされておらず、その情報を一元的に確認する手段が無かったため、テストの信頼性を担保することが困難であるという問題があった。
【０００９】
本発明は上記事情に鑑みてなされたものであり、フィールド機器を用いて行われるテストの信頼性を担保することができる試験情報管理装置、試験情報管理方法、試験情報管理プログラム、及び記録媒体を提供することを目的とする。
【課題を解決するための手段】
【００１０】
上記課題を解決するために、本発明の一態様による試験情報管理装置は、第１機器（１１ａ又は１３、１４）から出力される試験信号を第２機器（１３、１４、５０又は１１ｂ）で受信することによって行われる試験に関する試験情報を管理する試験情報管理装置（３０、６０）であって、前記第１機器における前記試験信号の出力状況を示す情報を含む第１情報（ＩＦ１、ＩＦ４）と、前記第２機器における前記試験信号の受信結果を示す画像情報を含む第２情報（ＩＦ２、ＩＦ３）とを、前記第１機器又は前記第２機器を識別する識別情報と、前記第１情報及び前記第２情報が生成された時刻との少なくとも一方を用いて紐付ける紐付部（３４ｂ）を備える。
また、本発明の一態様による試験情報管理装置は、前記第２情報に含まれる前記画像情報に対して画像解析を行い、前記試験信号の受信結果と、前記第１機器又は前記第２機器を識別する識別情報との少なくとも一方を得る解析部（３４ａ）を備える。
また、本発明の一態様による試験情報管理装置は、前記紐付部が、前記解析部で得られた前記試験信号の受信結果を前記第１情報に紐付ける。
或いは、本発明の一態様による試験情報管理装置は、前記紐付部が、前記解析部で得られた前記識別情報を用いて前記第１情報と前記第２情報とを紐付ける。
また、本発明の一態様による試験情報管理装置は、前記第１情報には、少なくとも前記第１機器を識別する前記識別情報（Ａ１）と、前記試験信号のレベル及び該レベルの出力開始時刻を示す情報（Ａ３）と、が含まれる。
また、本発明の一態様による試験情報管理装置は、前記紐付部で紐付けられた前記第１情報と前記第２情報とを出力する出力部（３３）を備える。
また、本発明の一態様による試験情報管理装置は、前記第１機器との間で通信を行う通信部（２５）と、前記通信部を介して前記試験信号の出力命令を前記第１機器に送信し、前記第１機器から前記試験信号を出力させる試験実行部（２４ａ）と、を備える。
また、本発明の一態様による試験情報管理装置は、前記通信部によって、前記第１機器から前記識別情報が取得される。
また、本発明の一態様による試験情報管理装置は、前記第１機器が、フィールド機器（１１ａ）であり、前記第２機器が、前記フィールド機器から出力された前記試験信号の受信結果を表示する表示部（１４ａ）を備える機器（１４、５０）である。
或いは、本発明の一態様による試験情報管理装置は、前記第１機器が、フィールド機器を操作するための操作信号を前記試験信号として出力可能な機器（１３、１４）であり、前記第２機器は、前記第１機器から出力される前記試験信号に基づいて動作した結果を表示する表示部（７０）を備えるフィールド機器（１１ｂ）である。
本発明の一態様による試験情報管理方法は、第１機器（１１ａ又は１４）から出力される試験信号を第２機器（１３、１４又は１１ｂ）で受信することによって行われる試験に関する試験情報を管理する試験情報管理方法であって、前記第１機器における前記試験信号の出力状況を示す情報を含む第１情報（ＩＦ１、ＩＦ４）と、前記第２機器における前記試験信号の受信結果を示す画像情報を含む第２情報（ＩＦ２、ＩＦ３）とを、前記第１機器又は前記第２機器を識別する識別情報と、前記第１情報及び前記第２情報が生成された時刻との少なくとも一方を用いて紐付ける紐付ステップ（Ｓ１８）を有する。
本発明の一態様による試験情報管理プログラムは、コンピュータを、第１機器（１１ａ又は１４）から出力される試験信号を第２機器（１３、１４又は１１ｂ）で受信することによって行われる試験に関する試験情報を管理する試験情報管理装置（３０、６０）として機能させる試験情報管理プログラムであって、前記コンピュータを、前記第１機器における前記試験信号の出力状況を示す情報を含む第１情報（ＩＦ１、ＩＦ４）と、前記第２機器における前記試験信号の受信結果を示す画像情報を含む第２情報（ＩＦ２、ＩＦ３）とを、前記第１機器又は前記第２機器を識別する識別情報と、前記第１情報及び前記第２情報が生成された時刻との少なくとも一方を用いて紐付ける紐付手段（３４ｂ）として機能させる試験情報管理プログラム。
本発明の一態様による記録媒体は、上記の試験情報管理プログラムを記録したコンピュータ読み取り可能な記録媒体である。
【発明の効果】
【００１１】
本発明によれば、フィールド機器を用いて行われるテストの信頼性を担保することができる、という効果がある。
【図面の簡単な説明】
【００１２】
【図１】本発明の第１実施形態における試験情報管理システムの要部構成を示すブロック図である。
【図２】本発明の第１実施形態で用いられる機器保全装置の要部構成を示すブロック図である。
【図３】本発明の第１実施形態で用いられる試験情報管理装置の要部構成を示すブロック図である。
【図４】本発明の第１実施形態において監視装置で得られる受信情報に含まれる画像情報の一例を示す図である。
【図５】本発明の第１実施形態による試験情報管理方法の概要を示すフローチャートである。
【図６】本発明の第１実施形態の変形例を示す図である。
【図７】本発明の第１実施形態の変形例で用いられる表示計の一例を示す図である。
【図８】本発明の第２実施形態における試験情報管理システムの要部構成を示すブロック図である。
【図９】本発明の第２実施形態で用いられる機器保全装置の要部構成を示すブロック図である。
【図１０】本発明の第３実施形態における試験情報管理システムの要部構成を示すブロック図である。
【発明を実施するための形態】
【００１３】
以下、図面を参照して本発明の実施形態による試験情報管理装置、試験情報管理方法、試験情報管理プログラム、及び記録媒体について詳細に説明する。以下では、まず本実施形態の概要について説明し、その後に各実施形態の詳細について説明する。
【００１４】
〔概要〕
本発明の実施形態は、フィールド機器を用いて行われるテストの信頼性を担保することができるようにするものである。具体的に、上述のループテストに代表される第１機器から出力されるテスト信号（試験信号）を第２機器で受信することによって行われるテスト（試験）において、第１機器におけるテスト信号の出力状況を示す情報を含む第１情報と、第２機器におけるテスト信号の受信結果を示す画像情報を含む第２情報とを自動的に紐付け、これら第１情報と第２情報とを一元的に管理することで、フィールド機器を用いて行われるテストの信頼性を担保するものである。例えば、一元的に管理することで、テストのトレーサビリティを容易に行うことができるため、テストの信頼性を担保することができる。
【００１５】
ここで、複数の作業員（作業員Ａ、作業員Ｂ）により行われていた従来のループテストの手順は、例えば以下の通りである。
〈作業準備〉
・テスト対象となるフィールド機器（第１機器）の設置場所に作業員Ａが赴く
・テスト信号を受信する監視装置（第２機器）の設置場所で作業員Ｂが待機する
・作業員Ａと作業員Ｂとが、トランシーバ等の通信装置で連絡をとれる準備をする
【００１６】
〈作業〉
（Ａ）作業員Ａが作業員Ｂに通信装置を用いて作業開始を伝える
（Ｂ）作業員Ａがフィールド機器に機器保全装置を接続し、対象機器であることを確認
（Ｃ）作業員Ａが機器保全装置を操作して、フィールド機器からテスト信号を出力
（Ｄ）作業員Ｂが監視装置の表示内容を参照し、テスト信号の受信結果を確認
（Ｅ）作業員Ｂがテスト信号の受信結果の合否判定
（Ｆ）作業員Ｂが上記の合否判定結果を紙等に記録
（Ｇ）作業員Ｂが作業員Ａに通信装置を用いて作業の継続又は終了を伝える
【００１７】
従来のループテストは、作業員個人の操作及び判断に依存する部分があるため、ミスが生じ得る。例えば、以下の通りである。
上記（Ｂ）：作業員Ａの誤判断により、対象機器の選択ミスが生じ得る
上記（Ｃ）：作業員Ａの誤操作により、テスト信号の発生ミスが生じ得る
上記（Ｄ）：作業員Ｂの誤判断により、確認ミスが生じ得る
上記（Ｅ）：作業員Ｂの誤判断により、判定ミスが生じ得る
上記（Ｆ）：作業員Ｂにより記録ミスが生じ得る
【００１８】
以上の通り、従来のループテストは、作業員個人の操作及び判断に依存する部分があるため、ミスが生じ得ることから、フィールド機器を用いて行われるテストの信頼性を担保することが困難であった。本実施形態では、第１機器におけるテスト信号の出力状況を示す情報を含む第１情報と、第２機器におけるテスト信号の受信結果を示す画像情報を含む第２情報とを、第１機器又は第２機器を識別する識別情報と、第１情報及び第２情報が生成された時刻との少なくとも一方を用いて自動的に紐付け、これら第１情報と第２情報とを一元的に管理することで、フィールド機器を用いて行われるテストの信頼性を担保するものである。
【００１９】
〔第１実施形態〕
〈試験情報管理システム〉
図１は、本発明の第１実施形態における試験情報管理システムの要部構成を示すブロック図である。図１に示す通り、本実施形態の試験情報管理システムは、プロセス制御システム１で用いられる。このため、まずプロセス制御システム１について説明する。プロセス制御システム１は、フィールド機器１１（第１機器）、Ｉ／Ｏ装置１２、コントローラ１３（第２機器）、及び監視装置１４（第２機器）を備えており、監視装置１４からの指示等に応じてコントローラ１３がフィールド機器１１を制御することによってプラント（図示省略）で実現される工業プロセスの制御を行う。
【００２０】
このようなプロセス制御システム１が構築されるプラントとしては、化学等の工業プラントの他、ガス田や油田等の井戸元やその周辺を管理制御するプラント、水力・火力・原子力等の発電を管理制御するプラント、太陽光や風力等の環境発電を管理制御するプラント、上下水やダム等を管理制御するプラント等がある。尚、上記のプラントは、あくまでも例示であり、上記のプラントに制限される訳ではない点に注意されたい。
【００２１】
フィールド機器１１とＩ／Ｏ装置１２とは伝送線Ｃ１によって接続されており、Ｉ／Ｏ装置１２とコントローラ１３とはケーブルＣ２によって接続されている。また、コントローラ１３及び監視装置１４は、制御ネットワークＮに接続されている。尚、制御ネットワークＮは、例えばプラントの現場と監視室との間を接続するネットワークである。
【００２２】
フィールド機器１１は、例えば流量計や温度センサ等のセンサ機器、流量制御弁や開閉弁等のバルブ機器、ファンやモータ等のアクチュエータ機器、その他のプラントの現場に設置される機器である。尚、図１においては、理解を容易にするために、プラントに設置された複数のフィールド機器１１のうちの流体の流量を測定する１つのセンサ機器１１ａと流体の流量を制御（操作）する１つのバルブ機器１１ｂとを図示している。
【００２３】
Ｉ／Ｏ装置１２は、フィールド機器１１とコントローラ１３との間に設けられ、フィールド機器１１が接続される複数のＩ／Ｏチャネル（図示省略）を備えており、Ｉ／Ｏチャネルの各々に接続されたフィールド機器１１とコントローラ１３との間で入出力される信号の処理を行う。例えば、フィールド機器１１から得られる信号を、コントローラ１３が受信可能な信号に変換する処理を行う。このＩ／Ｏ装置１２は、複数のフィールド機器１１をコントローラ１３に接続し、フィールド機器１１で入出力される信号とコントローラ１３で入出力される信号との中継を行う中継装置であるということもできる。
【００２４】
コントローラ１３は、監視装置１４からの指示等に応じてフィールド機器１１との間で通信を行ってフィールド機器１１の制御を行う。具体的に、コントローラ１３は、あるフィールド機器１１（例えば、センサ機器１１ａ）で測定されたプロセス値を取得し、他のフィールド機器１１（例えば、バルブ機器１１ｂ）の操作量を演算して送信することによって、他のフィールド機器１１（例えば、バルブ機器１１ｂ）を制御する。
【００２５】
監視装置１４は、例えばプラントの運転員Ｗ２によって操作されてプロセスの監視のために用いられる端末装置である。監視装置１４は、表示部１４ａを備えており、フィールド機器１１の入出力信号をコントローラ１３から取得して表示部１４ａに表示することにより、プロセス制御システム１を構成するフィールド機器１１やコントローラ１３の挙動を運転員Ｗ２に伝える。また、監視装置１４は、運転員Ｗ２の指示に基づいてコントローラ１３の制御を行う。
【００２６】
監視装置１４は、受信情報取得部１４ｂを備えており、フィールド機器１１から送信されて、コントローラ１３で受信された信号（例えば、ループテストのテスト信号：模擬信号）の受信結果を示す画像情報を取得する。具体的に、受信情報取得部１４ｂは、表示部１４ａの表示内容の全部又は一部の画像情報（所謂、スクリーンショット）を取得してファイルに格納する。尚、このファイルには、メタデータ（ファイル名、ファイルの作成日時等）が関連付けられている。このようにして、コントローラ１３で受信された信号の受信結果を示す画像情報を含む情報（受信情報ＩＦ２：第２情報）が生成される。受信情報取得部１４ｂが、上記の画像情報を取得するタイミング（受信情報ＩＦ２が生成される時刻）は、例えばテスト信号を受信したタイミング、テスト信号の値が変化したタイミング、予め設定された周期が到来するタイミング（自動）、又は任意のタイミング（手動）である。
【００２７】
尚、ループテスト時には、例えばループテストに用いられているフィールド機器１１のタグ名、ループテスト中の受信値（圧力や流量の値）、及び受信値の経時変化を示すグラフ等が、監視装置１４の表示部１４ａに表示される。このため、受信情報取得部１４ｂでは、これらの情報が含まれる画像情報が取得される。監視装置１４は、受信情報格納部１４ｃを備えており、受信情報取得部１４ｂで取得された受信情報ＩＦ２を受信情報格納部１４ｃに格納する。また、監視装置１４は、外部の機器（例えば、試験情報管理装置３０）から要求があった場合に、受信情報格納部１４ｃに格納された受信情報ＩＦ２を外部に出力する。
【００２８】
このようなプロセス制御システム１が構築されたプラントにおいては、フィールド機器１１等の保全を行うために機器保全装置２０が用いられる。また、フィールド機器１１等の保全の際に行われるループテストの結果の管理を行うために試験情報管理装置３０が用いられる。尚、ループテストの結果の管理を行うために、カメラ４０が用いられることもある。上記の機器保全装置２０及び試験情報管理装置３０（更には、カメラ４０）に加えて、監視装置１４が、本実施形態の試験情報管理システムを構成している。以下、試験情報管理システムを構成する機器保全装置２０、試験情報管理装置３０、及びカメラ４０について順に説明する。
【００２９】
〈機器保全装置〉
図２は、本発明の第１実施形態で用いられる機器保全装置の要部構成を示すブロック図である。図２に示す通り、機器保全装置２０は、操作部２１、表示部２２、格納部２３、処理部２４、通信部２５、及び入出力部２６を備える。このような機器保全装置２０は、例えばノート型又はタブレット型のコンピュータ等で実現される。尚、機器保全装置２０の機能（フィールド機器１１の保全や試験を行うための機能）は、例えばそれらの機能を実現するプログラム（不図示の記録媒体に記録されたプログラムを含む）をインストールすることによりソフトウェア的に実現される。
【００３０】
操作部２１は、例えばキーボードやポインティングデバイス等の入力装置を備えており、機器保全装置２０を使用する作業員の操作に応じた指示（機器保全装置２０に対する指示）を処理部２４に出力する。表示部２２は、例えば液晶表示装置等の表示装置を備えており、処理部２４から出力される各種情報を表示する。尚、操作部２１及び表示部２２は、物理的に分離されたものであっても良く、表示機能と操作機能とを兼ね備えるタッチパネル式の液晶表示装置のように物理的に一体化されたものであっても良い。
【００３１】
格納部２３は、例えばＨＤＤ（ハードディスクドライブ）やＳＳＤ（ソリッドステートドライブ）等の補助記憶装置を備えており、各種情報を格納する。例えば、フィールド機器１１を用いて行われたループテストに関する出力情報ＩＦ１（第１情報）を格納する。このループテストに関する出力情報ＩＦ１には、フィールド機器１１から出力されるテスト信号の出力状況を示す情報が含まれる。具体的には、図２に示す通り、機器情報Ａ１（識別情報）、テスト実施情報Ａ２、出力信号情報Ａ３（レベル及びそのレベルの出力開始時刻を示す情報）、及び作業員情報Ａ４が含まれる。
【００３２】
機器情報Ａ１は、フィールド機器１１を識別するために、フィールド機器１１の各々に割り当てられた識別情報である。この機器情報Ａ１としては、例えば「ＦＩ−１００２Ａ」等の把握が容易なタグ情報が用いられる。機器情報Ａ１は、例えば機器保全装置２０がフィールド機器１１に接続されたタイミングで、処理部２４の制御の下でフィールド機器１１から読み出されて格納部２３に格納される。
【００３３】
テスト実施情報Ａ２は、ループテストが実施された日時（具体的には、ループテストの開始日時及び終了日時）を示す情報である。例えば、ループテストの開始日時として「２０１８／０５／２１  １６：０３：３０」が格納され、終了日時として「２０１８／０５／２１  １６：０４：３５」が格納される。これらの情報は、処理部２４の制御の下で格納部２３に格納される。具体的に、ループテストの開始日時を示す情報は、ループテストが開始されたタイミングで格納部２３に格納され、ループテストの終了日時を示す情報は、ループテストが終了したタイミングで格納部２３に格納される。
【００３４】
出力信号情報Ａ３は、フィールド機器１１から出力されるテスト信号のレベル及び出力開始時刻及び終了時刻を示す情報である。この情報は、処理部２４の制御の下で、各レベルのテスト信号が発生するタイミング（終了するタイミング）で格納部２３に格納される。例えば、テスト信号のレベルを０％、５０％、１００％、５０％、０％と順に変化させるループテストを行う場合（５点チェックの場合）、以下の情報が格納部２３に格納される。
【００３５】
０％  開始時刻：２０１８／０５／２１  １６：０３：３５
０％  終了時刻：２０１８／０５／２１  １６：０３：４５
５０％  開始時刻：２０１８／０５／２１  １６：０３：４５
５０％  終了時刻：２０１８／０５／２１  １６：０３：５５
１００％  開始時刻：２０１８／０５／２１  １６：０３：５５
１００％  終了時刻：２０１８／０５／２１  １６：０４：１０
５０％  開始時刻：２０１８／０５／２１  １６：０４：１０
５０％  終了時刻：２０１８／０５／２１  １６：０４：２０
０％  開始時刻：２０１８／０５／２１  １６：０４：２０
０％  終了時刻：２０１８／０５／２１  １６：０４：３０
【００３６】
上記の例の通り、出力信号情報Ａ３は、各レベルの出力開始時刻と終了時刻とがペアとなった情報である。尚、ペアとなる終了時刻が無い場合には、次のレベルの出力開始時刻又はループテストの終了時刻が、そのレベルの終了時刻とされる。
【００３７】
作業員情報Ａ４は、機器保全装置２０を使用する作業員に関する情報である。この作業員情報Ａ４は、例えば機器保全装置２０にログインするために必要なアカウント名が用いられる。例えば、機器保全装置２０を使用する作業員Ｗ１のアカウント名が「ＹＯＫＯＧＡＷＡ  ＴＡＲＯＵ」（横河太郎）であれば、作業員Ｗ１が機器保全装置２０にログインしたタイミングで、処理部２４の制御の下で「ＹＯＫＯＧＡＷＡ  ＴＡＲＯＵ」なる名称が格納部２３に格納される。以上の通り、出力情報ＩＦ１（機器情報Ａ１、テスト実施情報Ａ２、出力信号情報Ａ３、及び作業員情報Ａ４）は、上述のタイミング（時刻）でそれぞれ生成されて格納部２３に格納される。
【００３８】
処理部２４は、操作部２１から入力される操作指示に基づいて、機器保全装置２０の動作を統括して制御する。処理部２４は、テスト実行部２４ａ及びテスト情報記録部２４ｂを備えており、ループテストの実行指示が操作部２１から入力された場合には、テスト実行部２４ａにループテストを実行させ、実行されたループテストの結果をテスト情報記録部２４ｂに記録させる（格納部２３に格納させる）。
【００３９】
テスト実行部２４ａは、通信部２５を介してフィールド機器１１に対してテスト信号の出力命令を送信することによって、フィールド機器１１からテスト信号を出力させる。具体的に、テスト実行部２４ａは、予め設定されたテストパターンに従い、そのテストパターンで設定されたインターバル時間の間、そのテストパターンで設定されたレベルでフィールド機器１１からテスト信号を出力させる。テスト情報記録部２４ｂは、テスト実行部２４ａで行われるループテストの進行に合わせて、上述したテスト実施情報Ａ２及び出力信号情報Ａ３を格納部２３に格納する。
【００４０】
通信部２５は、処理部２４の制御の下で、接続されたフィールド機器１１と通信を行う。ここで、機器保全装置２０がフィールド機器１１に接続されると、処理部２４の制御の下で、機器保全装置２０とフィールド機器１１との間で通信部２５を介した通信が開始され、通信部２５によってフィールド機器１１の機器情報が取得される。尚、取得された機器情報は、機器情報Ａ１として格納部２３に格納される。
【００４１】
入出力部２６は、処理部２４の制御の下で、各種情報の入出力を行う。例えば、入出力部２６は、外部の機器（例えば、試験情報管理装置３０）との間で通信を行って各種情報を入出力するものであっても良く、着脱可能な記録媒体（例えば、不揮発性メモリ）に対する各種情報の読み出し又は書き込みを行って各種情報を入出力するものであっても良い。尚、外部の機器との間で行われる通信は、有線通信及び無線通信の何れであっても良い。また、入出力部２６から出力される各種情報は、例えば格納部２３に格納された出力情報ＩＦ１である。
【００４２】
〈試験情報管理装置〉
図３は、本発明の第１実施形態で用いられる試験情報管理装置の要部構成を示すブロック図である。図３に示す通り、試験情報管理装置３０は、操作部３１、表示部３２、入出力部３３（出力部）、処理部３４、格納部３５、及びドライブ装置３６を備える。このような試験情報管理装置３０は、例えばデスクトップ型又はノート型のパーソナルコンピュータ又はワークステーション等で実現される。尚、試験情報管理装置３０の機能（ループテストの結果を管理するための機能）は、例えばそれらの機能を実現するプログラム（記録媒体Ｍに記録されたプログラムを含む）をインストールすることによりソフトウェア的に実現される。
【００４３】
操作部３１は、例えばキーボードやポインティングデバイス等の入力装置を備えており、試験情報管理装置３０を使用する作業員の操作に応じた指示（試験情報管理装置３０に対する指示）を処理部３４に出力する。表示部３２は、例えば液晶表示装置等の表示装置を備えており、処理部３４から出力される各種情報を表示する。尚、操作部３１及び表示部３２は、物理的に分離されたものであっても良く、表示機能と操作機能とを兼ね備えるタッチパネル式の液晶表示装置のように物理的に一体化されたものであっても良い。
【００４４】
入出力部３３は、処理部３４の制御の下で、各種情報の入出力を行う。例えば、入出力部３３は、外部の機器（例えば、機器保全装置２０、監視装置１４、カメラ４０）との間で通信を行って各種情報を入出力するものであっても良く、着脱可能な記録媒体（例えば、不揮発性メモリ）に対する各種情報の読み出し又は書き込みを行って各種情報を入出力するものであっても良い。尚、外部の機器との間で行われる通信は、有線通信及び無線通信の何れであっても良い。入出力部３３に入力される情報は、例えば図１に示す出力情報ＩＦ１、受信情報ＩＦ２、受信情報ＩＦ３であり、入出力部３３から出力される情報は、例えば格納部３５に格納された紐付情報ＬＫである。
【００４５】
処理部３４は、操作部３１から入力される操作指示に基づいて、試験情報管理装置３０の動作を統括して制御する。処理部３４は、受信情報解析部３４ａ（解析部）及び紐付部３４ｂ（紐付手段）を備えており、機器保全装置２０から得られる出力情報ＩＦ１と、監視装置１４から得られる受信情報ＩＦ２又はカメラ４０から得られる受信情報ＩＦ３（図１参照）とを紐付ける。
【００４６】
受信情報解析部３４ａは、監視装置１４から得られる受信情報ＩＦ２、或いはカメラ４０から得られる受信情報ＩＦ３に含まれる画像情報に対して画像解析を行い、テスト信号の受信結果、及びフィールド機器１１の機器情報を得る。図４は、本発明の第１実施形態において監視装置で得られる受信情報に含まれる画像情報の一例を示す図である。図４に例示する画像情報は、フィールド機器１１のタグ名が表示される第１領域Ｒ１、テスト信号の受信値が表示される第２領域Ｒ２、及び受信値の経時変化を示すグラフが表示される第３領域Ｒ３に区分される。図４に示す例において、第１領域Ｒ１には「■」なる記号ＣＴ及びタグ名「ＦＩ−１００２Ａ」が表示されており、第２領域Ｒ２にはテスト信号の受信値「ＰＶ＝０．１６４ｍ３／ｓｅｃ」が表示されており、第３領域Ｒ３には受信値が経時的に５段階に変化するグラフが表示されている。
【００４７】
このように、監視装置１４から得られる受信情報ＩＦ２に含まれる画像は、タグ名、受信値、及びグラフの配置が概ね定まっており、またタグ名の横には必ず「■」なる記号ＣＴが設けられている等、ルール化されている。受信情報解析部３４ａは、このようなルールに従って、受信情報ＩＦ２，ＩＦ３に含まれる画像情報に対する画像解析を行って、テスト信号の受信結果（受信値）、及びフィールド機器１１の機器情報（タグ情報）を得る。
【００４８】
紐付部３４ｂは、機器保全装置２０から得られる出力情報ＩＦ１と、監視装置１４から得られる受信情報ＩＦ２又はカメラ４０から得られる受信情報ＩＦ３とを紐付ける。具体的に、紐付部３４ｂは、フィールド機器１１の機器情報（タグ情報）と、各々の情報が生成された時刻との少なくとも一方を用いて、上記の出力情報ＩＦ１と、上記の受信情報ＩＦ２又は受信情報ＩＦ３とを紐付ける。
【００４９】
ここで、受信情報解析部３４ａによってテスト信号の受信結果（受信値）が得られている場合には、紐付部３４ｂは、機器保全装置２０から得られる出力情報ＩＦ１と、受信情報解析部３４ａによって得られた受信値とを紐付けても良い。また、受信情報解析部３４ａによってフィールド機器１１の機器情報（タグ情報）が得られている場合には、紐付部３４ｂは、受信情報解析部３４ａによって得られたタグ情報を用いて、上記の出力情報ＩＦ１と、上記の受信情報ＩＦ２又は受信情報ＩＦ３とを紐付けても良い。
【００５０】
格納部３５は、例えばＨＤＤ（ハードディスクドライブ）やＳＳＤ（ソリッドステートドライブ）等の補助記憶装置を備えており、各種情報を格納する。例えば、処理部３４の紐付部３４ｂによって紐付けられた紐付情報ＬＫを格納する。ドライブ装置３６は、例えばＣＤ−ＲＯＭ又はＤＶＤ（登録商標）−ＲＯＭ等のコンピュータ読み取り可能な記録媒体Ｍに記録されているデータの読み出しを行う。この記録媒体Ｍは、試験情報管理装置３０の各ブロックの機能（例えば、受信情報解析部３４ａや紐付部３４ｂの機能）を実現するプログラムを格納している。
【００５１】
このような記録媒体Ｍに格納されたプログラムがドライブ装置３６によって読み込まれ、試験情報管理装置３０にインストールされることにより、試験情報管理装置３０の各ブロックの機能がソフトウェア的に実現される。つまり、これらの機能は、ソフトウェアとハードウェア資源とが協働することによって実現される。尚、試験情報管理装置３０の各ブロックの機能を実現するプログラムは、記録媒体Ｍに記録された状態で配布されても良く、インターネット等の外部のネットワークを介して配布されても良い。
【００５２】
尚、試験情報管理装置３０がドライブ装置３６を備えていない場合には、プログラムをインターネット等の外部のネットワークを介して取得する。具体的には、試験情報管理装置３０は、例えば入出力部３３によって外部のネットワークを介して取得したプログラムを格納部３５に格納する。また、試験情報管理装置３０の製造者等は、プリインストール版の試験情報管理装置３０として、各ブロックの機能を実現するプログラムを予め格納部３５に格納することもできる。
【００５３】
〈カメラ〉
カメラ４０は、例えばＣＣＤ（Charge Coupled Device：電荷結合素子）やＣＭＯＳ（Complementary Metal Oxide Semiconductor：相補型金属酸化膜半導体）等の固体撮像素子を備えており、二次元の静止画像を撮影可能なカメラである。このカメラ４０は、例えばプラントの運転員Ｗ２によって操作され、監視装置１４の表示部１４ａに表示された表示内容の全部又は一部の画像情報の撮影に用いられる。つまり、カメラ４０は、監視装置１４に設けられた受信情報取得部１４ｂと同様に、所謂スクリーンショットと同様の情報を取得可能である。
【００５４】
カメラ４０で撮影された画像情報は、撮影された時刻を示す時刻情報（タイムスタンプ）が付されて、例えば着脱可能な記録媒体（例えば、不揮発性メモリ）に記録される。つまり、コントローラ１３で受信された信号の受信結果を示す画像情報を含む情報（受信情報ＩＦ３：第２情報）が生成される。この記録媒体に記録された情報は、例えばカメラ４０と外部の機器（例えば、試験情報管理装置３０）との間で通信が行われることにより、受信情報ＩＦ３として外部の機器に出力される。或いは、カメラ４０から記録媒体が取り外され、取り外された記録媒体が外部の機器（例えば、試験情報管理装置３０）に装着されることにより、受信情報ＩＦ３として外部の機器に読み込まれる。尚、監視装置１４に設けられた受信情報取得部１４ｂにて、所謂スクリーンショットを取得することができるため、カメラ４０は必ずしも用いられる訳ではない。
【００５５】
〈試験情報管理方法〉
図５は、本発明の第１実施形態による試験情報管理方法の概要を示すフローチャートである。尚、図３に示すフローチャートの処理は、例えば機器保全装置２０を操作する作業員Ｗ１が操作部２１を操作して、ループテストの開始指示を行うことによって開始される。尚、ここでは、機器保全装置２０を操作する現場の作業員Ｗ１と、プラントの運転員Ｗ２との協働によってループテストが行われるものとする。
【００５６】
図５に示すフローチャートの処理が開始されると、機器保全装置２０からフィールド機器１１（センサ機器１１ａ）に対し、テスト信号の出力命令が送信される（ステップＳ１１）。尚、ループテストが開始されると、その旨が作業員Ｗ１から運転員Ｗ２に通知される。ループテストが開始された旨の通知は、機器保全装置２０が監視装置１４と通信することで行っても良く、作業員Ｗ１がトランシーバ等の通信装置を用いて運転員Ｗ２と連絡をとることで行っても良い。
【００５７】
機器保全装置２０から送信されてきた出力命令がフィールド機器１１（センサ機器１１ａ）で受信されると、その出力命令に応じたテスト信号がフィールド機器１１（センサ機器１１ａ）から送信される（ステップＳ１２）。フィールド機器１１（センサ機器１１ａ）から送信されたテスト信号は、伝送線Ｃ１、Ｉ／Ｏ装置１２、ケーブルＣ２を順に介してコントローラ１３で受信される。テスト信号がコントローラ１３で受信されると、その受信結果が監視装置１４の表示部１４ａに表示される（ステップＳ１３）。
【００５８】
そして、ループテストに関する出力情報ＩＦ１を格納する処理が機器保全装置２０で行われ、受信情報ＩＦ２を取得して格納する処理が監視装置１４で行われる（ステップＳ１４）。尚、ここでは、説明を簡単にするために、出力情報ＩＦ１の格納及び受信情報ＩＦ２がステップＳ１４でまとめて格納されるとしているが、これらの情報はループテストの進行に合わせて格納される。例えば、出力情報ＩＦ１に含まれる出力信号情報Ａ３は、各レベルのテスト信号が発生するタイミングで格納部２３に格納され、受信情報ＩＦ２は、テスト信号の値が変化したタイミングで受信情報格納部１４ｃに格納される。
【００５９】
尚、ここでは、監視装置１４で受信情報ＩＦ２を取得して格納する処理が行われる例について説明しているが、この処理に代えて、カメラ４０で受信情報ＩＦ３を取得して格納する処理を行うようにしても良い。具体的には、運転員Ｗ２が、カメラ４０を操作して監視装置１４の表示部１４ａを撮影する。これにより、カメラ４０で受信情報ＩＦ３が取得され、取得された受信情報ＩＦ３が、例えば着脱可能な記録媒体（例えば、不揮発性メモリ）に記録される。
【００６０】
以上の処理が終了すると、ループテストが終了したか否かが、機器保全装置２０の処理部２４で判断される（ステップＳ１５）。ループテストが終了していないと判断された場合（判断結果が「ＮＯ」の場合）には、ステップＳ１１の処理に戻り、ステップＳ１１〜Ｓ１４の処理が再び行われてループテストが継続される。尚、ループテストが終了したか否かの判断は、予め設定されたテストパターンの全てについてのテスト信号がフィールド機器１１（センサ機器１１ａ）から出力されたか否かによって行われる。
【００６１】
これに対し、ループテストが終了したと判断された場合（判断結果が「ＹＥＳ」の場合）には、機器保全装置２０から出力情報ＩＦ１を取得し、監視装置１４から受信情報ＩＦ２を取得する処理が試験情報管理装置３０で行われる（ステップＳ１６）。尚、カメラ４０で取得された受信情報ＩＦ３が、着脱可能な記録媒体等に記録されている場合には、監視装置１４から受信情報ＩＦ２を取得する処理に代えて、その記録媒体等に記録された受信情報ＩＦ３を取得する処理が試験情報管理装置３０で行われても良い。
【００６２】
次いで、監視装置１４から取得した受信情報ＩＦ２（或いは、カメラ４０から取得した受信情報ＩＦ３）を解析する処理が試験情報管理装置３０で行われる（ステップＳ１７）。具体的には、受信情報ＩＦ２（或いは、受信情報ＩＦ３）に含まれる画像情報に対して画像解析を行い、テスト信号の受信結果、及びフィールド機器１１の機器情報を得る処理が試験情報管理装置３０の受信情報解析部３４ａで行われる。尚、ステップＳ１７は、必要がなければ省略することも可能である。
【００６３】
続いて、機器保全装置２０から取得した出力情報ＩＦ１と、監視装置１４から取得した受信情報ＩＦ２（或いは、カメラ４０から取得した受信情報ＩＦ３）とを紐付ける処理が試験情報管理装置３０で行われる（ステップＳ１８：紐付ステップ）。具体的には、フィールド機器１１の機器情報（タグ情報）と、各々の情報が生成された時刻との少なくとも一方を用いて、上記の出力情報ＩＦ１と、上記の受信情報ＩＦ２又は受信情報ＩＦ３とを紐付ける処理が、試験情報管理装置３０の紐付部３４ｂで行われる。
【００６４】
例えば、機器保全装置２０から取得した出力情報ＩＦ１には、フィールド機器１１（センサ機器１１ａ）を識別するための機器情報Ａ１が含まれている（図２参照）。また、ステップＳ１７で、監視装置１４から取得した受信情報ＩＦ２（或いは、カメラ４０から取得した受信情報ＩＦ３）に含まれる画像情報に対して画像解析が行われることによって、フィールド機器１１の機器情報を得ることができる（図４参照）。試験情報管理装置３０の紐付部３４ｂは、出力情報ＩＦ１に含まれる機器情報Ａ１と、受信情報ＩＦ２又は受信情報ＩＦ３に含まれる画像情報に対して画像解析を行って得られた機器情報とが一致する場合に、その機器情報Ａ１が含まれる出力情報ＩＦ１と、その機器情報が得られた受信情報ＩＦ２又は受信情報ＩＦ３とを紐付ける。
【００６５】
例えば、機器保全装置２０から取得した出力情報ＩＦ１には、フィールド機器１１から出力されるテスト信号のレベル及び出力開始時刻及び終了時刻を示す出力信号情報Ａ３が含まれている（図２参照）。また、ステップＳ１７で、監視装置１４から取得した受信情報ＩＦ２（或いは、カメラ４０から取得した受信情報ＩＦ３）には時刻情報（タイムスタンプ）が付されている。試験情報管理装置３０の紐付部３４ｂは、出力情報ＩＦ１に含まれる出力信号情報Ａ３と、受信情報ＩＦ２又は受信情報ＩＦ３に付されている時刻情報とを比較し、これらを参照して出力情報ＩＦ１と、受信情報ＩＦ２又は受信情報ＩＦ３とを紐付ける。
【００６６】
例えば、受信情報ＩＦ２又は受信情報ＩＦ３に付されている時刻情報が「２０１８／０５／２１  １６：０４：０２」であるとする。また、上記の出力信号情報Ａ３の内容が以下の通りであったとする。
５０％  開始時刻：２０１８／０５／２１  １６：０３：４５
５０％  終了時刻：２０１８／０５／２１  １６：０３：５５
１００％  開始時刻：２０１８／０５／２１  １６：０３：５５
１００％  終了時刻：２０１８／０５／２１  １６：０４：１０
５０％  開始時刻：２０１８／０５／２１  １６：０４：１０
５０％  終了時刻：２０１８／０５／２１  １６：０４：２０
【００６７】
受信情報ＩＦ２又は受信情報ＩＦ３に付されている時刻情報「２０１８／０５／２１  １６：０４：０２」は、テスト信号のレベルが１００％であるとき（２０１８／０５／２１の１６：０３：５５〜１６：０４：１０の間）に得られたものである。このため、試験情報管理装置３０の紐付部３４ｂは、出力情報ＩＦ１に含まれる出力信号情報Ａ３のうちの、テスト信号のレベルが１００％であるときに得られたものと、「２０１８／０５／２１  １６：０４：０２」なる時刻情報が付されている受信情報ＩＦ２又は受信情報ＩＦ３とを紐付ける。
【００６８】
試験情報管理装置３０の紐付部３４ｂで紐付けられた出力情報ＩＦ１と、受信情報ＩＦ２又は受信情報ＩＦ３とは、紐付情報ＬＫとして試験情報管理装置３０の格納部３５に格納される。以上によって、図５に示す一連の処理が終了する。尚、格納部３５に格納された紐付情報ＬＫは、例えば外部の機器からの要求に応じて試験情報管理装置３０に設けられた表示部２２に表示され、或いは入出力部２６から試験情報管理装置３０の外部に出力される。
【００６９】
以上の通り、本実施形態では、試験情報管理装置３０が、ループテストに関する出力情報ＩＦ１を機器保全装置２０から取得するとともに、ループテストのテスト信号の受信結果を示す画像情報を含む受信情報ＩＦ２を監視装置１４から取得（或いは、受信情報ＩＦ３をカメラ４０から取得）している。そして、取得した出力情報ＩＦ１と、取得した受信情報ＩＦ２又は受信情報ＩＦ３とを、フィールド機器１１（センサ機器１１ａ）を識別する機器情報と、出力情報ＩＦ１及び受信情報ＩＦ２又は受信情報ＩＦ３が生成された時刻との少なくとも一方を用いて自動的に紐付けるようにしている。これにより、ループテストのテスト結果を含むテストに関する情報を一元管理することができるため、ループテストの信頼性を担保することができる。
【００７０】
また、試験情報管理装置３０は、機器保全装置２０、監視装置１４、カメラ４０との間で通信を行うことによって（或いは、着脱可能な記録媒体（例えば、不揮発性メモリ）を用いることによって）、上記の出力情報ＩＦ１、受信情報ＩＦ２、受信情報ＩＦ３を取得することができる。このため、試験情報管理装置３０が上記の出力情報ＩＦ１、受信情報ＩＦ２、受信情報ＩＦ３を取得する際に、作業員Ｗ１と運転員Ｗ２とがトランシーバ等の通信装置を用いて連絡をとる必要はない。これにより、上記の出力情報ＩＦ１、受信情報ＩＦ２、受信情報ＩＦ３を容易に取得することができる。
【００７１】
〈変形例〉
図６は、本発明の第１実施形態の変形例を示す図である。尚、図６においては、図１に示す構成と同様の構成には同一の符号を付してある。図６に示す通り、本変形例は、例えばフィールド機器１１（センサ機器１１ａ）とＩ／Ｏ装置１２とを接続する伝送線Ｃ１に表示計５０（第２機器）を設け、表示計５０の表示内容（テスト信号の受信結果）をカメラ４０で撮影して、受信情報ＩＦ３を得るようにしたものである。尚、表示計５０は、Ｉ／Ｏ装置１２とコントローラ１３とを接続するケーブルＣ２に設けられていても良い。
【００７２】
図７は、本発明の第１実施形態の変形例で用いられる表示計の一例を示す図である。図７（ａ）に示す表示計は、アナログ式の表示計であり、図７（ｂ）に示す表示計は、ディジタル式の表示計である。これら図７（ａ），（ｂ）に示す表示計は、伝送線Ｃ１に設けられて、伝送線Ｃ１を介して送信される信号（例えば、テスト信号）の大きさを表示する。図７（ａ）に示す表示計は、伝送線Ｃ１を介して送信される信号（テスト信号）の大きさを表示針ＮＤの回転量をもって表示する。図７（ｂ）に示す表示計は、伝送線Ｃ１を介して送信される信号（テスト信号）の大きさを数値で表示する。また、図７（ｃ）に示す表示計は、複数の指示計ＩＤが設けられたパネル表示計である。パネル表示計に設けられた複数の指示計ＩＤのうち、伝送線Ｃ１に接続された指示計が用いられる。
【００７３】
図１を用いて説明した実施形態では、ループテストの対象区間が、フィールド機器１１（センサ機器１１ａ）とコントローラ１３との間であった。これに対し、本変形例では、ループテストの対象区間が、フィールド機器１１（センサ機器１１ａ）と表示計５０との間になる。尚、本変形例では、監視装置１４で取得される受信情報ＩＦ２は用いられず、機器保全装置２０から取得した出力情報ＩＦ１と、カメラ４０からら取得した受信情報ＩＦ３とが、試験情報管理装置３０で紐付けられる。本変形例においても、ループテストのテスト結果を含むテストに関する情報を一元管理することができるため、ループテストの信頼性を担保することができる。
【００７４】
〔第２実施形態〕
〈試験情報管理システム〉
図８は、本発明の第２実施形態における試験情報管理システムの要部構成を示すブロック図である。尚、図８においては、図１に示す構成と同様の構成には同一の符号を付してある。本実施形態は、図１に示す試験情報管理装置３０の機能が設けられた機器保全装置６０を用いて、フィールド機器１１等の保全、及びループテストの結果の管理を行うものである。このため、本実施形態の試験情報管理システムは、機器保全装置６０（更には、カメラ４０）に加えて、監視装置１４によって構成されている。
【００７５】
〈機器保全装置〉
図９は、本発明の第２実施形態で用いられる機器保全装置の要部構成を示すブロック図である。尚、図９においては、図２，３に示す構成と同様の構成には同一の符号を付してある。図９に示す通り、機器保全装置６０は、図２に示す機器保全装置２０に対し、図３に示す受信情報解析部３４ａ及び紐付部３４ｂを追加し、図３に示す紐付情報ＬＫを格納部２３に格納するようにしたものである。
【００７６】
機器保全装置６０は、紐付部３４ｂにより、格納部２３に格納された出力情報ＩＦ１と、監視装置１４から得られる受信情報ＩＦ２又はカメラ４０から得られる受信情報ＩＦ３とを紐付ける。具体的に、機器保全装置６０は、フィールド機器１１の機器情報（タグ情報）と、各々の情報が生成された時刻との少なくとも一方を用いて、上記の出力情報ＩＦ１と、上記の受信情報ＩＦ２又は受信情報ＩＦ３とを紐付ける。紐付けられた出力情報ＩＦ１と、受信情報ＩＦ２又は受信情報ＩＦ３とは、紐付情報ＬＫとして格納部２３に格納される。格納部２３に格納された紐付情報ＬＫは、例えば入出力部２６（出力部）から出力される。
【００７７】
以上の通り、本実施形態では、ループテストに関する出力情報ＩＦ１を機器保全装置６０の格納部２３から取得するとともに、ループテストのテスト信号の受信結果を示す画像情報を含む受信情報ＩＦ２を監視装置１４から取得（或いは、受信情報ＩＦ３をカメラ４０から取得）している。そして、取得した出力情報ＩＦ１と、取得した受信情報ＩＦ２又は受信情報ＩＦ３とを、フィールド機器１１（センサ機器１１ａ）を識別する機器情報と、出力情報ＩＦ１及び受信情報ＩＦ２又は受信情報ＩＦ３が生成された時刻との少なくとも一方を用いて自動的に紐付けるようにしている。これにより、ループテストのテスト結果を含むテストに関する情報を一元管理することができるため、ループテストの信頼性を担保することができる。
【００７８】
また、第１実施形態の試験情報管理装置３０の機能を機器保全装置６０で実現することで、試験情報管理装置３０を省略することができるため、試験情報管理システムを簡易な構成にすることができる。更に、機器保全装置６０は、作業員Ｗ１によって携帯されて用いられるものであるため、上記の出力情報ＩＦ１、受信情報ＩＦ２、受信情報ＩＦ３を容易に取得して確認することができる。
【００７９】
〔第３実施形態〕
〈試験情報管理システム〉
図１０は、本発明の第３実施形態における試験情報管理システムの要部構成を示すブロック図である。尚、図１０においては、図１に示す構成と同様の構成には同一の符号を付してある。上述した第１，第２実施形態は、テスト信号をフィールド機器１１（センサ機器１１ａ）から送信してループテストを行うものであった。
【００８０】
これに対し、本実施形態では、監視装置１４（第１機器）の制御の下で、コントローラ１３（第１機器）からテスト信号を出力し、フィールド機器１１（バルブ機器１１ｂ：第２機器）の動作状態をテストするものである。例えば、バルブ機器１１ｂのストロークテストを行うものである。このため、本実施形態の試験情報管理システムは、試験情報管理装置３０及びカメラ４０に加えて、監視装置１４によって構成されている。尚、ストロークテストは、流体の流量を変更したり、緊急時にバルブを全閉にする場合に、バルブが正常に動作するかを確認したりするためのテストである。
【００８１】
監視装置１４は、上述の通り、コントローラ１３からテスト信号を出力させる。このため、監視装置１４では、フィールド機器１１（バルブ機器１１ｂ）のストロークテストに関する出力情報ＩＦ４（第１情報）が生成されて格納される。このストロークテストに関する出力情報ＩＦ４には、コントローラ１３から出力されるテスト信号の出力状況を示す情報が含まれる。この出力情報ＩＦ４は、図２に示す出力情報ＩＦ１と同様の情報であり、機器情報Ａ１、テスト実施情報Ａ２、出力信号情報Ａ３、及び作業員情報Ａ４が含まれる。但し、機器情報Ａ１には、テスト信号が送信されるフィールド機器１１（バルブ機器１１ｂ）の機器情報が格納される。
【００８２】
カメラ４０は、バルブ機器１１ｂの動作状態の撮影に用いられる。ここで、バルブ機器１１ｂは、コントローラ１３から出力されるテスト信号に基づいて動作した結果を表示する表示部７０を備える。例えば、バルブ機器１１ｂに、表示器７０として、開度（コントローラ１３から送信されてきたテスト信号に応じて変化する開度）を示す機械的な表示器が設けられている場合には、その表示器をカメラ４０によって撮影する。また、バルブ機器１１ｂに、調節弁の開度を制御するバルブポジショナが設けられている場合には、そのバルブポジショナに設けられた表示部７０に表示される指示値（調節弁の開度を示す値）をカメラ４０によって撮影する。これにより、ストロークテストに関するテスト信号の受信結果を示す画像情報を含む受信情報ＩＦ３が生成される。
【００８３】
試験情報管理装置３０は、監視装置１４から得られる出力情報ＩＦ４と、カメラ４０から得られる受信情報ＩＦ３とを紐付ける。具体的に、試験情報管理装置３０は、フィールド機器１１（バルブ機器１１ｂ）の機器情報（タグ情報）と、各々の情報が生成された時刻との少なくとも一方を用いて、上記の出力情報ＩＦ４と、上記の受信情報ＩＦ３とを紐付ける。紐付けられた出力情報ＩＦ４と受信情報ＩＦ３とは、紐付情報ＬＫとして格納部３５（図３参照）に格納される。
【００８４】
以上の通り、本実施形態では、ストロークテストに関する出力情報ＩＦ４を監視装置１４から取得するとともに、ストロークテストのテスト信号の受信結果を示す画像情報を含む受信情報ＩＦ３をカメラ４０から取得している。そして、取得した出力情報ＩＦ４と、取得した受信情報ＩＦ３とを、フィールド機器１１（バルブ機器１１ｂ）を識別する機器情報と、出力情報ＩＦ４及び受信情報ＩＦ３が生成された時刻との少なくとも一方を用いて自動的に紐付けるようにしている。これにより、ストロークテストのテスト結果を含むテストに関する情報を一元管理することができるため、ストロークテストの信頼性を担保することができる。
【００８５】
以上、本発明の実施形態による試験情報管理装置、試験情報管理方法、試験情報管理プログラム、及び記録媒体について説明したが、本発明は上述した実施形態に制限されることなく、本発明の範囲内で自由に変更が可能である。例えば、前述した第１，第２実施形態では、機器保全装置２０，６０を用いてフィールド機器１１（センサ機器１１ａ）からループテストのテスト信号を発生させて出力情報ＩＦ１を得るようにしていた。しかしながら、フィールド機器１１（センサ機器１１ａ）を直接操作してループテストのテスト信号を発生させても良い。また、フィールド機器１１（センサ機器１１ａ）が出力情報ＩＦ１を記録する機能を有するものである場合には、フィールド機器１１（センサ機器１１ａ）から出力情報ＩＦ１を取得するようにしても良い。
【００８６】
また、図１，図１０に示す試験情報管理装置３０の実現形態は、制限されることはなく、任意の形態で実現することができる。例えば、試験情報管理装置３０は、制御ネットワークＮに接続されるサーバ装置として実現されても良く、プラント内に設けられるスタンドアロンの装置として実現されていても良い。更には、クラウドコンピューティングにより実現されても良い。
【００８７】
ここで、クラウドコンピューティングは、例えば、以下のＵＲＬ（Uniform Resource Locator）で特定される文書に記載されている定義（米国国立標準技術研究所によって推奨される定義）に合致するものであっても良い。
http://nvlpubs.nist.gov/nistpubs/Legacy/SP/nistspecialpublication800-145.pdf
https://www.ipa.go.jp/files/000025366.pdf
【符号の説明】
【００８８】
１１              フィールド機器
１１ａ            センサ機器
１１ｂ            バルブ機器
１３              コントローラ
１４              監視装置
２４ａ            テスト実行部
２５              通信部
３０              試験情報管理装置
３３              入出力部
３４ａ            受信情報解析部
３４ｂ            紐付部
５０              表示計
６０              機器保全装置
７０              表示部
Ａ１              機器情報
Ａ３              出力信号情報
ＩＦ１，ＩＦ４    出力情報
ＩＦ２，ＩＦ３    受信情報
Ｍ                記録媒体
【図１】
2019215792.tif 000003
【図２】
2019215792.tif 000004
【図３】
2019215792.tif 000005
【図４】
2019215792.tif 000006
【図５】
2019215792.tif 000007
【図６】
2019215792.tif 000008
【図７】
2019215792.tif 000009
【図８】
2019215792.tif 000010
【図９】
2019215792.tif 000011
【図１０】
2019215792.tif 000012